【事件の表示】
　平成１０年特許願第３０８９５４号「入力装置、入力装置の制御方法及び記憶媒体」拒絶査定不服審判事件〔平成１２年　５月１６日出願公開、特開２０００−１３７７９６〕について、次のとおり審決する。
【結　論】
　本件審判の請求は、成り立たない。
【理　由】
１．　手続の経緯
　本願は、平成１０年１０月２９日の出願であって、平成１７年９月１６日付けで拒絶査定がされ、これに対して同年１０月２４日に拒絶査定不服審判が請求されたものである。
　
　
２．　本願発明
　
　本願の請求項１ないし２５に係る発明は、平成１７年３月７日付けの手続補正書により補正された明細書及び図面の記載からみて、その特許請求の範囲の請求項１ないし２５に記載されたとおりのものと認められるところ、その請求項９に記載された発明（以下、「本願発明」という。）は次のとおりである。
　
　「【請求項９】　情報処理装置と接続され、接続された前記情報処理装置に情報を転送可能な入力装置であって、
　入力される情報の記録を指示する記録指示手段と、
　前記記録指示手段によって記録が指示された情報を記憶するための記憶手段と、
　前記情報処理装置が接続されたか否かを検出する接続検出手段と、
　前記接続検出手段により前記情報処理装置が接続されたことを検出した後に、前記記録指示手段によって記録指示された場合に、記録指示された情報を前記記憶手段に記憶するか、前記情報処理装置に転送するかを設定する設定手段とを具備することを特徴とする入力装置。」
　
　
３．引用例
　
　これに対して、原査定の拒絶の理由に引用された、本願の出願の日前である平成１０年９月２５日に頒布された「特開平１０−２５７３６５号公報」（以下「引用例」という。）には、図面と共に次の事項が記載されている。
　
ア　「【０００９】
【発明の実施の形態】以下、本発明を適用した電子スチルカメラの一実施形態について図面を参照して説明する。図１に本実施形態の電子スチルカメラ１（以下、単にカメラともいう）を後方斜め上方から見た外観を示す。カメラ１は、ボディ前面に撮影レンズ１１、背面に大型のカラー液晶表示装置（ＬＣＤ）１９、メインスイッチ（ＳＭ）４１、撮影／再生切換スイッチ４４、記録媒体指定スイッチ４５、圧縮率切換スイッチ４６および画像選択スイッチ４７、上面にレリーズ釦４２および動作モード設定スイッチ４３、側面にカード挿入口３１を備えている。
【００１０】また、図に現れていないが、ボディ前面には、被写体までの距離を測定するための測距用窓、被写体の明るさを測定するための測光用窓、および赤外光によって他のカメラとデータ授受を行うための通信窓が設けられており、側面には、パーソナルコンピュータ等の外部機器と接続するためのコネクタが設けられている。」
　
イ　「【００１２】カメラ１は撮影した画像を記録媒体に記録する。記録媒体としては、通常、カード挿入口３１よりカメラ内部に挿入される着脱可能なメモリカードを用いるが、有線または無線でカメラ１と接続される外部機器の記録媒体を使用することもできる。記録媒体の指定は記録媒体指定スイッチ４５により行う。」
　
ウ　「【００１４】レリーズ釦４２は、第１ストローク（半押し）で、撮影、測距および測光の開始を指示するＳ１ＯＮ信号を発生し、第２ストローク（全押し）で、撮影した画像の記録開始を指示するＳ２ＯＮ信号を発生する。再生時にはＳ２ＯＮ信号は表示画像の変更を指示する信号となる。」
　
エ　「【００２４】上記構成の電子スチルカメラ１の撮影の動作の流れを、フローチャートを参照して説明する。図３に、カメラの起動から停止までの撮影動作全体の概略の流れを示す。メインスイッチ（ＳＭ）４１が操作されて電力の供給が開始されると（ステップ＃２）、まず、初期状態にリセットし（＃４）、メモリカードの装着の有無、外部機器との接続等の状態を調べるシステムチェックを行う（＃６）。次いで、スイッチ群４０の設定状態を検出し（＃８）、レリーズ釦４２の第１ストロークによりＳ１ＯＮ信号が発生しているか否かを判定する（＃１０）。
【００２５】Ｓ１ＯＮ信号がないときはメインスイッチ４１の設定状態を調べ（＃１２）、オフであれば全処理を終了する。オンに保たれているときは、＃６に戻ってシステムチェック以降の処理を反復する。
【００２６】＃１０の判定でＳ１ＯＮ信号があったときは、動作モード設定スイッチ４３の設定状況に基づいて、どの記録モードに設定されているかを判定する（＃１４）。単写モードまたは連写モードに設定されているときは、単写／連写モードでの撮影ルーチンに進み（＃１００）、シャッターチャンスモードに設定されているときはシャッターチャンスモードでの撮影ルーチンに進む（＃２００）。
【００２７】図４に単写／連写モードでの撮影ルーチンを示す。このモードでは、まずＣＣＤ１３を初期化し（ステップ＃１０２）、次いで測光部３０によって被写体の明るさを測定し（＃１０４）、測光結果に応じて絞り１２を設定する（＃１０６）。さらに、測距部２９によって被写体までの距離を測定し（＃１０８）、測距結果に基づいて撮影レンズ１１を駆動して、被写体に対して焦点調節をする（＃１１０）。
【００２８】そして、ＣＣＤ１３に光電変換を開始させ（＃１１２）、所定時間経過後にＣＣＤ１３の蓄積電荷を出力させる（＃１１４）。この出力信号をマイクロコンピュータ１６で処理して表示可能な画像信号とし（＃１１６）、これをＬＣＤドライバ１８に与えて、ＬＣＤ１９に画像を表示させる（＃１１８）。この表示画像は記録開始前の被写体を表すプレビューとなる。
【００２９】次いで、レリーズ釦４２の第２ストロークにより記録開始を指示するＳ２ＯＮ信号が発生したか否かを判定する。Ｓ２ＯＮ信号がないときには、図３のステップ＃１０に戻り、Ｓ１ＯＮ信号の有無を判定する。レリーズ釦４２が半押し状態に保たれていればＳ１ＯＮ信号があることになり、その場合、再び本ルーチンに入って上記動作が反復され、画像の撮影と表示が継続される。したがって、レリーズ釦４２が半押し状態のときは、ＬＣＤ１９はファインダーとして機能する。
【００３０】＃１２０の判定でＳ２ＯＮ信号があったときには、ＣＣＤ１３による光電変換と蓄積電荷の出力を再度行って（＃１２２、＃１２４）、その出力信号をマイクロコンピュータ１６で処理する（＃１２６）。この処理では、表示可能な画像信号を生成するとともに、生成した画像信号を記録のために圧縮する。圧縮した画像信号は記録媒体に書き込み（＃１２８）、圧縮前の画像信号はＬＣＤドライバ１８に出力して、画像をＬＣＤ１９に表示させる（＃１３０）。この表示画像は記録された被写体を表すアフタービューとなる。
【００３１】＃１２６での画像信号の圧縮は、圧縮率切換スイッチ４６で設定されている圧縮率に従って行う。また、＃１２８での画像信号の記録は、通常、メモリカード２１に行うが、メモリカード２１に代えて、インターフェイス２２を介して接続されている外部機器の記録媒体に行うこともできる。いずれに記録するかの選択は、記録媒体指定スイッチ４５による指定に従う。」
　
　前掲アないしエの記載事項及び図面からみて、引用例には、次の発明（以下、「引用発明」という。）が記載されているものと認められる。
　
「メインスイッチと、記録媒体指定スイッチと、パーソナルコンピュータ等の外部機器と接続するためのコネクタと、撮影した画像の記録開始を指示するＳ２ＯＮ信号を発生するレリーズ釦とを備えた電子スチルカメラであって、
　前記メインスイッチが操作されて電力の供給が開始されると初期状態にリセットし、メモリカードの装着の有無と外部機器との接続の状態を調べるシステムチェックを行い、
　次いで、前記レリーズ釦の第２ストロークにより記録開始を指示するＳ２ＯＮ信号が発生したか否かを判定し、Ｓ２ＯＮ信号があったときには表示可能な画像信号を生成するとともに、生成した画像信号を前記メモリーカードか前記外部機器の記録媒体のいずれに記憶するかの選択を記録媒体指定スイッチによる指定に従って選択する電子スチルカメラ。」
　
　
４．　対比
　
　本願発明と引用発明と対比する。
　引用発明の「電子スチルカメラ」は入力装置であることは明らかであり、さらに、当該「電子スチルカメラ」は、コンピュータ等の外部機器、すなわち、情報処理装置と接続され、当該情報処理装置の記録媒体に生成した画像信号を記録できるものである。ここで、前記画像信号を前記情報処理装置の記録媒体に記録する際に、前記画像信号を前記情報処理装置に転送していることは明らかであるから、引用発明の「電子スチルカメラ」は、本願発明の「情報処理装置と接続され、接続された前記情報処理装置に情報を転送可能な入力装置」に相当する。
　
　また、引用発明の記録開始を指示するＳ２ＯＮ信号を発生する「レリーズ釦」は、入力される情報の記録を指示していることは明らかであるから、本願発明の「入力される情報の記録を指示する記録指示手段」に相当する。
　
　また、引用発明の「メモリーカード」は、記録が指示された情報を記憶するものであるから、本願発明の「前記記録指示手段によって記録が指示された情報を記憶するための記憶手段」に相当する。
　また、引用発明は、メインスイッチが操作されると初期状態にリセットし、外部機器との接続の状態、すなわち、情報処理装置との接続の状態を調べるシステムチェックを行うものであるから、引用発明は情報処理装置の接続を検出するための検出手段に相当する構成を実質的に備えているといえるから、本願発明と引用発明とは「情報処理装置の接続を検出する接続検出手段」を備えているという点において一致しているといえる。
　
　さらに、引用発明は、初期状態にリセットして情報処理装置の接続を検出し、ついで、前記レリーズ釦の第２ストロークにより記録開始を指示するＳ２ＯＮ信号が発生したか否かを判定するものであるから、情報処理装置の接続を検出した後に、レリーズ釦、すなわち、記録指示手段によって記録指示されていることは明らかである。
　そして、引用発明は、この記録指示された情報をメモリーカード、すなわち、記憶手段か、接続されている情報処理装置の記録媒体のいずれに記憶するかの選択を媒体指定スイッチによる指定に従って選択するものであり、前記記録媒体指定スイッチによる選択は、記録指示された情報を前記記憶手段に記憶するか、前記情報処理装置に転送するかを設定していることに他ならならない。
　したがって、引用発明の「記録媒体指定スイッチ」は、本願発明の「前記接続検出手段により前記情報処理装置の接続を検出した後に、前記記録指示手段によって記録指示された場合に、記録指示された情報を前記記憶手段に記憶するか、前記情報処理装置に転送するかを設定する設定手段」に相当する。
　
　以上を踏まえると、本願発明と引用発明とは、
　
「情報処理装置と接続され、接続された前記情報処理装置に情報を転送可能な入力装置であって、
　入力される情報の記録を指示する記録指示手段と、
　前記記録指示手段によって記録が指示された情報を記憶するための記憶手段と、
　前記情報処理装置の接続を検出する接続検出手段と、
　前記接続検出手段により前記情報処理装置の接続を検出した後に、前記記録指示手段によって記録指示された場合に、記録指示された情報を前記記憶手段に記憶するか、前記情報処理装置に転送するかを設定する設定手段とを具備する入力装置。」
　
である点で一致し、次の点で相違する。
　
　接続検出手段の検出動作に関して、本願発明は、「情報処理装置が接続されたか否かを検出する」ものであるのに対して、引用発明は、入力装置を初期状態にリセットした際のシステムチェックにおいて情報処理装置が接続されているか否かを検出するものである点。
　
　
５．当審の判断
　
　上記相違点について検討する。
　接続検出手段の検出動作として、入力装置に情報処理装置が接続された際に、当該情報処理装置が接続されたか否かを検出することは、特開平９−２７０９４４号公報、及び、特開平７−３２２１０６号公報に示されるように、本願出願時において周知技術である。このような周知技術を引用発明に適用すること、すなわち、引用発明の接続検出手段を情報処理装置が接続されたか否かを検出する接続検出手段とすることは、当業者であれば容易に想到し得たものである。
　
　また、本願発明の効果についてみても、上記構成の採用に伴って当然に予測される程度のものにすぎず、格別顕著なものがあるともいえない。
　
　特開平９−２７０９４４号公報には、図面と共に次の事項が記載されている。
「【００１１】
【作用】本発明は上記技術手段よりなるので、バッテリーで動作させた状態で、出力手段にＴＶモニタやパソコン等の外部表示手段が接続されると、それが検出手段によって検出され、その結果、内部表示手段に映像信号が表示されないようになるので、上記内部表示手段によってバッテリーが無駄に消費されるのを防止することが可能となり、長い時間バッテリーで動作させることができるようになる。」
　
　特開平７−３２２１０６号公報には、図面と共に次の事項が記載されている。
「【００２５】本実施例では装着判別手段１７は、例えばカメラのスロットル部に機械的スイッチが２つあり一方をＡ、他方をＢとした場合、メモリカードが装着された時にはツメ６８に反応しＡ＝ＯＮ、Ｂ＝ＯＦＦとなり、接続ケーブルが装着された時にはツメ１１８に反応しＡ＝ＯＦＦ、Ｂ＝ＯＮとなるように構成し、そしてこの２つのスイッチからの電気的信号がマイコン１９に入力されるような構成を採用する。
【００２６】以上のような動作を行う事により、メモリカード装着時にはカメラ内マイコンから出力される制御信号に従ってメモリカード内のコモンメモリへデータをアクセスし、接続ケーブル装着時には外部装置から出力される制御信号に従ってカメラ内のコモンメモリへデータをアクセスする映像装置を実現できる。」
　
　
６．　むすび
　
　以上のとおり、本願発明は、引用例に記載された発明及び周知技術に基づいて当業者が容易に発明をすることができたものであるから、特許法第２９条２項の規定により特許を受けることができない。
　したがって、その余の請求項について検討するまでもなく、本願は拒絶すべきものである。
　よって、結論のとおり審決する。